(57)【要約】パケット基盤の呼サービスを支援するＣＤＭＡ−２０００移動通信システムでの多様な呼サービスを提供する方法に関する。このような方法は、パケット呼サービスのための少なくとも１つのサービスクラスに対応して無線チャンネル割当て情報を含むサービスプリミティブ情報の集合を構成するステップＳ１０と、少なくとも１つの移動端末機のためのパケット呼が発生すると、構成されたサービスプリミティブ情報を参照してパケット呼のサービスクラスに対応するサービスプリミティブ組合せを決定するステップＳ２０と、決定されたサービスプリミティブ組合せに対応する無線チャンネルを移動端末機に割り当てるステップＳ３０と、割り当てられた無線チャンネルを利用して移動端末機に要請されたパケット呼サービスを提供するステップＳ４０とを含む。
2004519130.tif 000002
【特許請求の範囲】
【請求項１】
無線移動通信システムでインターネットプロトコル（Ｉｎｔｅｒｎｅｔ Ｐｒｏｔｏｃｏｌ；ＩＰ）基盤のネットワークを通じてパケット呼サービスを提供するための方法において、
パケット呼サービスのための少なくとも１つのサービスクラスに対応して無線チャンネル割当て情報を含むサービスプリミティブ情報の集合を構成するステップと、
少なくとも１つの移動端末機のためのパケット呼が発生すると、前記構成されたサービスプリミティブ情報を参照して前記パケット呼のサービスクラスに対応するサービスプリミティブ組合せを決定するステップと、
前記決定されたサービスプリミティブ組合せに対応する無線チャンネルを前記少なくとも１つの移動端末機に割り当てるステップと、
前記割り当てられた無線チャンネルを利用して前記少なくとも１つの移動端末機に前記パケット呼サービスを提供するステップと
を含むことを特徴とする方法。
【請求項２】
前記サービスプリミティブ組合せは、前記ＩＰネットワークから受信された前記パケット呼のサービスクラス情報によって決定されることを特徴とする請求項１記載の方法。
【請求項３】
前記パケット呼のサービスクラス情報は、ユーザーによって入力されることを特徴とする請求項２記載の方法。
【請求項４】
前記サービスプリミティブ情報は、インタラクティブ呼のための無線チャンネル割当て情報を含むことを特徴とする請求項１記載の方法。
【請求項５】
前記サービスプリミティブ情報は、
多重伝送、単一伝送、及び高速伝送が可能であり、接続及び品質を保証せず、ソフトハンドオフ及び電力制御を提供せず、所定のチャンネル‘Ｆ−ＣＣＣＨ’または‘Ｆ−ＢＣＣＨ’のチャンネル割当て情報を含む第１順方向プリミティブと、多重伝送、単一伝送、及び高速伝送が可能であり、接続及び品質を保証し、ソフトハンドオフ及び電力制御を提供せず、所定のチャンネル‘Ｆ−ＦＣＨ’のチャンネル割当て情報を含む第２順方向プリミティブと、単一伝送及び高速伝送が可能であり、接続及び品質を保証し、ソフトハンドオフ及び電力制御を提供し、所定のチャンネル‘Ｆ−ＦＣＨ’のチャンネル割当て情報を含む第３順方向プリミティブのうち少なくとも１つの順方向プリミティブと、
単一伝送が可能であり、高速伝送が不能であり、接続及び品質を保証せず、ソフトハンドオフ及び電力制御を提供し、所定のチャンネル‘Ｒ−ＦＣＨ’のチャンネル割当て情報を含む第１逆方向プリミティブと、単一伝送及び高速伝送が可能であり、接続及び品質を保証し、ソフトハンドオフ及び電力制御を提供し、所定のチャンネル‘Ｒ−ＣＣＣＨ’のチャンネル割当て情報を含む第２逆方向プリミティブのうち少なくとも１つの逆方向プリミティブとを含むことを特徴とする請求項４記載の方法。
【請求項６】
前記第２順方向プリミティブによってチャンネル‘Ｆ−ＦＣＨ’を利用して複数の移動端末機にグループ呼サービスを提供する場合、同時にハンドオフを遂行することができる移動端末機の個数を制限することを特徴とする請求項５記載の方法。
【請求項７】
前記第２順方向プリミティブによってチャンネル‘Ｆ−ＦＣＨ’を利用して複数の移動端末機にグループ呼サービスを提供する場合、電力制御を遂行しないことを特徴とする請求項５記載の方法。
【請求項８】
前記第２順方向プリミティブによってチャンネル‘Ｆ−ＦＣＨ’を利用して複数の移動端末機にグループ呼サービスを提供する場合、前記チャンネル‘Ｆ−ＦＣＨ’に対応する同一のウォルシュコードを前記複数の移動端末機に割り当てることを特徴とする請求項５記載の方法。
【請求項９】
前記第１順方向プリミティブによってチャンネル‘Ｆ−ＣＣＣＨ’または‘Ｆ−ＢＣＣＨ’を利用して、少なくとも１つの移動端末機にグループ呼サービスまたは個人呼サービスを提供する場合、前記少なくとも１つの移動端末機に予め割り当てられた複数のセルをグループ化し、グループ化された領域内で制限的なハンドオフを提供することを特徴とする請求項５記載の方法。
【請求項１０】
前記第２逆方向プリミティブによってチャンネル‘Ｒ−ＣＣＣＨ’を利用して、少なくとも１つの移動端末機にグループ呼サービスまたは個人呼サービスを提供する場合、共通電力制御チャンネル（ＣＰＣＣＨ）を利用して電力制御を遂行することを特徴とする請求項５記載の方法。
【請求項１１】
無線移動通信システムでＩＰ基盤のネットワークを通じてパケット呼サービスを提供するための方法において、
パケット呼がＩＰネットワークに要求されると、無線移動通信システム内の基地局へ前記パケット呼のＩＰネットワークサービスクラス情報を伝送するステップと、
前記基地局で前記サービスクラス情報を分析した結果、前記パケット呼がセミ半二重（ｓｅｍｉ ｈａｌｆ−ｄｕｐｌｅｘ）通信を提供するインタラクティブグループ呼であれば、予め定義されたサービスプリミティブ情報を参照して前記グループ呼に対応するサービスプリミティブ組合せを決定するステップと、
前記決定されたサービスプリミティブ組合せによって順方向チャンネル‘Ｆ−ＣＣＣＨ’及び‘Ｆ−ＢＣＣＨ’と逆方向チャンネル‘Ｒ−ＣＣＣＨ’のうち１つを前記グループ呼のための複数の移動端末機に割り当てるステップと、
前記割り当てられた無線チャンネルを利用して前記グループ呼のための複数の移動端末機にインタラクティブグループ呼サービスを提供するステップと
を含むことを特徴とする方法。
【請求項１２】
無線移動通信システムでＩＰ基盤のネットワークを通じてパケット呼サービスを提供するための方法において、
パケット呼がＩＰネットワークに要求されると、無線移動通信システム内の基地局へ前記パケット呼のＩＰネットワークサービスクラス情報を伝送するステップと、
前記基地局で前記サービスクラス情報を分析した結果、前記パケット呼が全二重通信を提供するインタラクティブ個人呼であれば、予め構成されたサービスプリミティブ情報を参照して前記グループ呼に対応するサービスプリミティブ組合せを決定するステップと、
前記決定されたサービスプリミティブ組合せによって所定の順方向チャンネル‘Ｆ−ＦＣＨ’と逆方向チャンネル‘Ｒ−ＣＣＣＨ’及び‘Ｒ−ＦＣＨ’のうち１つを前記グループ呼のための複数の移動端末機に割り当てるステップと、
前記割り当てられた無線チャンネルを利用して前記グループ呼のための複数の移動端末機にインタラクティブグループ呼サービスを提供するステップと
を含むことを特徴とする方法。
【請求項１３】
前記インタラクティブグループ呼サービスを提供するとき、同時にハンドオフを遂行することができる移動端末機の個数を制限することを特徴とする請求項１２記載の方法。
【請求項１４】
前記インタラクティブグループ呼サービスを提供するとき、電力制御を遂行しないことを特徴とする請求項１２記載の方法。
【請求項１５】
前記チャンネル‘Ｆ−ＦＣＨ’を割り当てるとき、前記‘Ｆ−ＦＣＨ’に該当する同一のウォルシュコードを前記グループ呼のための複数の移動端末機に割り当てることを特徴とする請求項１２記載の方法。
【請求項１６】
前記インタラクティブグループ呼サービスを提供するとき、共通電力制御チャンネル（ＣＰＣＣＨ）を利用して電力制御を遂行することを特徴とする請求項１２記載の方法。
【請求項１７】
無線移動通信システムでＩＰ基盤のネットワークを通じてパケット呼サービスを提供するための方法において、
パケット呼がＩＰネットワークに要求されると、無線移動通信システム内の基地局へ前記パケット呼のＩＰネットワークサービスクラス情報を伝送するステップと、
前記基地局で前記サービスクラス情報を分析した結果、前記パケット呼が全二重通信を提供するインタラクティブ個人呼であれば、予め定義されたサービスプリミティブ情報を参照して前記個人呼に対応するサービスプリミティブ組合せを決定するステップと、
前記決定されたサービスプリミティブ組合せによって所定の順方向チャンネル‘Ｆ−ＦＣＨ’及び所定の逆方向チャンネル‘Ｒ−ＦＣＨ’を前記個人呼のための移動端末機に割り当てるステップと、
前記割り当てられた無線チャンネルを利用して前記個人呼のための移動端末機にインタラクティブ個人呼サービスを提供するステップと
を含むことを特徴とする方法。
【請求項１８】
無線移動通信システムでＩＰ基盤のネットワークを通じてパケット呼サービスを提供するための方法において、
パケット呼がＩＰネットワークに要求されると、無線移動通信システム内の基地局へ前記パケット呼のＩＰネットワークサービスクラス情報を伝送するステップと、
前記基地局で前記サービスクラス情報を分析した結果、前記パケット呼がセミ半二重通信を提供するインタラクティブ個人呼であれば、予め定義されたサービスプリミティブ情報を参照して前記個人呼に対応するサービスプリミティブ組合せを決定するステップと、
前記決定されたサービスプリミティブ組合せによって所定の順方向チャンネル‘Ｆ−ＣＣＣＨ’及び所定の逆方向チャンネル‘Ｒ−ＣＣＣＨ’を前記個人呼のための移動端末機に割り当てるステップと、
前記割り当てられた無線チャンネルを利用して前記個人呼のための移動端末機にインタラクティブ個人呼サービスを提供するステップと
を含むことを特徴とする方法。
【発明の詳細な説明】
【０００１】
【発明の属する技術分野】
本発明は、無線通信システムに関し、特に、パケット基盤のインタラクティブ呼サービス（Ｐａｃｋｅｔ−Ｂａｓｅｄ Ｉｎｔｅｒａｃｔｉｖｅ Ｃａｌｌ Ｓｅｒｖｉｃｅ）及び高品質のパケット音声呼サービスを提供するための方法に関する。
【０００２】
【従来の技術】
通常、セルラー移動通信システムは、全体サービス地域を多数の基地局（Ｂａｓｅ Ｓｔａｔｉｏｎ；ＢＳ）領域に分割して、小規模のサービス領域である“セル（ｃｅｌｌ）”を構成する。前記システムは、移動交換局（Ｍｏｂｉｌｅ Ｓｗｉｔｃｈｉｎｇ Ｃｅｎｔｅｒ；ＭＳＣ）を利用して基地局を集中制御し、加入者がセル間を移動しつつも通話が保持できるようにする。
【０００３】
通常の無線通信システムで遂行する音声呼に対して説明する。移動端末機（または移動電話機）がユーザーの音声をＥＶＲＣ（Ｅｎｈａｎｃｅｄ Ｖａｒｉａｂｌｅ Ｒａｔｅ Ｃｏｄｅｃ）によるＱ−ＣＥＬＰ（Ｑｕａｌｃｏｍｍ−Ｃｏｄｅ Ｅｘｃｉｔｅｄ Ｌｉｎｅａｒ Ｐｒｅｄｉｃｔｉｏｎ）方式を利用して符号化して基地局へ伝送する。そうすると、基地局は、移動局から受信されたコーディングされた音声データをＰＣＭ（Ｐｕｌｓｅ Ｃｏｄｅ Ｍｏｄｕｌａｔｉｏｎ）信号に変換（ｔｒａｎｓｃｏｄｉｎｇ）して移動交換局へ伝送する。その後、移動交換局は、ＰＣＭ変調された音声信号を他の移動端末機に伝送する。すなわち、音声呼の場合、通常の通信通信システムは、回線基盤の呼サービス（ｃｉｒｃｕｉｔ−ｂａｓｅｄ ｃａｌｌ ｓｅｒｖｉｃｅ）を提供して発信加入者と着信加入者との間に無線トラフィックチャンネルを設定してトラフィックチャンネルを通じて音声信号を交換する。
【０００４】
通信技術が発展するにつれて、ＩＰネットワークと無線通信ネットワークを結合するための多様な技術が開発されている。このような技術のうちの１つは、符号分割多元接続（Ｃｏｄｅ Ｄｉｖｉｓｉｏｎ Ｍｕｌｔｉｐｌｅ Ａｃｃｅｓｓ；ＣＤＭＡ）２０００システムである。ＣＤＭＡ−２０００システムでは、無線通信ネットワークから受信された音声信号を音声パケットにパケット化してＩＰネットワークへ伝送し、これにより、ＩＰアドレスを割り当てられるＩＰ端末機に音声パケットを最終的に受信することができる。このように、インターネットプロトコルを利用するパケット基盤の音声サービスを“ＶｏＩＰ（Ｖｏｉｃｅ ｏｖｅｒ Ｉｎｔｅｒｎｅｔ Ｐｒｏｔｏｃｏｌ）”と称する。
【０００５】
従来技術によるパケット基盤の呼サービスは、移動通信ネットワークとＩＰネットワークを通じて通信リンクを設定しなければならないので、呼設定時間が比較的に長いという短所がある。このような問題を解決するためには、ＩＰネットワークの“多重伝送（Ｍｕｌｔｉｃａｓｔ）”機能を利用して“グループ呼（Ｇｒｏｕｐ ｃａｌｌ）”及び“個人呼（Ｐｒｉｖａｔｅ Ｃａｌｌ）”のような“インタラクティブ呼サービス（ｉｎｔｅｒａｃｔｉｖｅ Ｃａｌｌ Ｓｅｒｖｉｃｅ）”を提供することができる。ここで、“インタラクティブ呼サービス”とは、ユーザー間の相互動作によって通話が進行する呼サービスを意味する。例えば、携帯用無線電話機（Ｗａｌｋｉｅ−ｔａｌｋｉｅ）でのような“プッシュツートーク（ｐｕｓｈ ｔｏ ｔａｌｋ）”機能がある。また、グループ呼とは、予め定められるユーザーのグループ内でユーザー間のマルチポイント通話を意味し、個人呼とは、予め定められるユーザーのグループ内で選択された２人のユーザー間の１：１（ｐｏｉｎｔ−ｔｏ−ｐｏｉｎｔまたはｏｎｅ−ｔｏ−ｏｎｅ）通話を意味する。
【０００６】
しかし、従来技術による移動通信システムは、回線基盤の呼サービスのみを提供することができるように、音声呼に使用される無線チャンネルを厳格に規格化している。従来の移動通信システムは、物理階層上での無線多重伝送を支援しないので、移動端末機は、多様な形態のインタラクティブ音声呼サービスが提供されることができない問題点があった。また、従来技術の移動通信システムによって提供される音声呼サービスは、物理階層上で常に一定の無線チャンネル（Ａｉｒ Ｃｈａｎｎｅｌｓ）の占有を要求するので、結果的に、チャンネル資源の浪費をもたらす短所があった。
【０００７】
【発明が解決しようとする課題】
従って、本発明の目的は、パケット基盤の呼サービスを支援するＣＤＭＡ移動通信システムで多様な呼サービスを提供できるようにする方法を提供することにある。
【０００８】
本発明の他の目的は、多様な呼サービスによるプリミティブを構成し、物理階層上の無線チャンネルを応用して向上したインタラクティブ呼サービス及び高品質の音声呼サービスを提供するための方法を提供することにある。
【０００９】
【課題を解決するための手段】
前記のような目的を達成するために、本発明による実施形態は、無線移動通信システムでＩＰ基盤のネットワークを通じてパケット呼サービスを提供するための方法において、パケット呼サービスのための少なくとも１つのサービスクラスに対応して無線チャンネル割当て情報を含むサービスプリミティブ情報の集合を構成するステップと、少なくとも１つの移動端末機のためのパケット呼が発生すると、前記構成されたサービスプリミティブ情報を参照して前記パケット呼のサービスクラスに対応するサービスプリミティブ組合せを決定するステップと、前記決定されたサービスプリミティブ組合せに対応する無線チャンネルを前記少なくとも１つの移動端末機に割り当てるステップと、前記割り当てられた無線チャンネルを利用して前記少なくとも１つの移動端末機に前記パケット呼サービスを提供するステップとを含むことを特徴とする。
【００１０】
また、本発明による他の実施形態は、無線移動通信システムでＩＰ基盤のネットワークを通じてパケット呼サービスを提供するための方法において、パケット呼がＩＰネットワークに要求されると、無線移動通信システム内の基地局へ前記パケット呼のＩＰネットワークサービスクラス情報を伝送するステップと、前記基地局で前記サービスクラス情報を分析した結果、前記パケット呼がセミ半二重通信を提供するインタラクティブグループ呼であれば、予め定義されたサービスプリミティブ情報を参照して前記グループ呼に対応するサービスプリミティブ組合せを決定するステップと、前記決定されたサービスプリミティブ組合せによって順方向チャンネル‘Ｆ−ＣＣＣＨ’及び‘Ｆ−ＢＣＣＨ’と逆方向チャンネル‘Ｒ−ＣＣＣＨ’のうち１つを前記グループ呼のための複数の移動端末機に割り当てるステップと、前記割り当てられた無線チャンネルを利用して前記グループ呼のための複数の移動端末機にインタラクティブグループ呼サービスを提供するステップとを含むことを特徴とする。
【００１１】
【発明の実施の形態】
以下、本発明に従う好適な実施形態について添付図面を参照しつつ詳細に説明する。なお、図面中、同一な構成要素及び部分には、可能な限り同一な符号及び番号を共通使用するものとする。下記説明において、本発明の要旨のみを明確にする目的で、関連した公知機能または構成に関する具体的な説明は省略する。
【００１２】
図１は、本発明が適用可能なＣＤＭＡ−２０００システムの構成を示す。図１を参照すると、移動端末機（ＭＴｓ）１及び２は、所定の呼サービスのために、基地局（ＢＳｓ）１１及び１２のそれぞれとＣＤＭＡ−２０００標準による無線チャンネルを通じて連結される。基地局１１及び１２は、基地局送受信器（Ｂａｓｅ Ｔｒａｎｓｃｅｉｖｅｒ Ｓｕｂｓｙｓｔｅｍ；ＢＴＳ）及び基地局制御器（Ｂａｓｅ Ｓｔａｔｉｏｎ Ｃｏｎｔｒｏｌｌｅｒ；ＢＳＣ）を含むことができる。移動交換局（Ｍｏｂｉｌｅ Ｓｗｉｔｃｈｉｎｇ Ｃｅｎｔｅｒ；ＭＳＣ）１０は、基地局１１及び１２を公衆交換電話ネットワーク（Ｐｕｂｌｉｃ Ｓｗｉｔｃｈｅｄ Ｔｅｌｅｐｈｏｎｅ Ｎｅｔｗｏｒｋ；ＰＳＴＮ）などの他の加入者システムに連結して移動端末機１及び２に回線基盤の呼サービスを提供する。前記基地局１１及び１２と移動端末機１及び２は、ＣＤＭＡ−２０００標準で定義された公衆陸上移動ネットワーク（ｐｕｂｌｉｃ ｌａｎｄ ｍｏｂｉｌｅ ｎｅｔｗｏｒｋ；ＰＬＭＮ）を構成する。
【００１３】
本発明の適用において、ＣＤＭＡ−２０００移動通信での物理チャンネル（すなわち、無線チャンネル）の構造について以下説明する。ここで、移動端末機から基地局へ伝送された逆方向チャンネルの前に“Ｒ”を付け、基地局から移動端末機へ伝送された順方向チャンネルの前に“Ｆ”を付ける。また、ＰＣＨ（Ｐｉｌｏｔ Ｃｈａｎｎｅｌ）は、同期獲得及びチャンネル推定のための基準チャンネルとして、基地局を区分するのに利用される順方向チャンネルである。
− ＦＣＨ（Ｆｕｎｄａｍｅｎｔａｌ Ｃｈａｎｎｅｌ）は、従来技術によるＩＳ−９５移動通信システムとの逆交換性を考慮するチャンネルとして、既存のＩＳ−９５標準での基本チャンネル（Ｆｕｎｄａｍｅｎｔａｌ−Ｃｈａｎｎｅｌ）と同様に、トラフィックデータ及びシグナリング情報を伝送するのに使用される。このようなチャンネルは、順方向基本チャンネルＦ−ＦＣＨ及び逆方向基本チャンネルＲ−ＦＣＨに区分される。
− ＣＣＣＨ（Ｃｏｍｍｏｎ Ｃｏｎｔｒｏｌ Ｃｈａｎｎｅｌ）は、基地局が該当するセル領域内の複数の移動端末機と制御メッセージを交換するとき使用される。このようなチャンネルは、順方向共通制御チャンネルＦ−ＣＣＣＨ及び逆方向共通制御チャンネルＲ−ＣＣＣＨに区分される。
− ＢＣＣＨ（Ｂｒｏａｄｃａｓｔｉｎｇ Ｃｏｎｔｒｏｌ Ｃｈａｎｎｅｌ）は、基地局が該当するセル領域内の複数の移動端末機に同一のメッセージを同時に伝送するための順方向チャンネルである。
− ＤＣＣＨ（Ｄｅｄｉｃａｔｅｄ Ｃｏｎｔｒｏｌ Ｃｈａｎｎｅｌ）は、移動端末機のそれぞれに専用的な用途として割り当てられて基地局と制御メッセージを交換するチャンネルである。このようなチャンネルは、順方向専用制御チャンネルＦ−ＤＣＣＨ及び逆方向専用制御チャンネルＲ−ＤＣＣＨに区分される。
− ＣＰＣＣＨ（Ｃｏｍｍｏｎ Ｐｏｗｅｒ Ｃｏｎｔｒｏｌ Ｃｈａｎｎｅｌ）は、基地局が該当するセル領域内の複数の移動端末機に連結された無線チャンネルの伝送電力を制御するのに使用される順方向チャンネルである。
【００１４】
一方、基地局１１及び１２は、アクセスゲートウェイ（Ａｃｃｅｓｓ Ｇａｔｅｗａｙ；ＡＧ）２０を通じてデータコアネットワーク、すなわち、ＩＰネットワーク３０に連結される。アクセスゲートウェイ２０は、移動端末機１及び２に特定のＩＰアドレスを割り当て、ＩＰパケットを生成して分析する。その結果、移動端末機１及び２は、ＩＰネットワークでＩＰ端末機として動作することができる。望ましくは、アクセスゲートウェイ２０は、移動交換局１０に含まれる。
【００１５】
ここで、ＩＰネットワーク３０は、多数のインターネットサービス提供者とノードとを含む一般的なインターネット４０とは区分されて、通信端末機にパケット呼サービスを提供する。このために、ＩＰネットワーク３０は、多数のネットワーク素子、例えば、呼エージェント（Ｃａｌｌ Ａｇｅｎｔ；ＣＡ）３１、ドメインネームサーバ（Ｄｏｍａｉｎ Ｎａｍｅ Ｓｅｒｖｅｒ；ＤＮＳ）３３、ＡＡＡ（Ａｕｔｈｅｎｔｉｆｉｃａｔｉｏｎ， Ａｕｔｈｏｒｉｚａｔｉｏｎ ａｎｄ Ａｃｃｏｕｎｔｉｎｇ ｃｏｍｐｕｔｅｒ）３５、ホームエージェント（Ｈｏｍｅ Ａｇｅｎｔ；ＨＡ）３７、及びメディアゲートウェイ（Ｍｅｄｉａ Ｇａｔｅｗａｙ；ＭＧ）３９などに連結されることができる。
【００１６】
前記ネットワーク素子のうち、呼エージェント３１は、パケット呼セッションを管理して制御し、特に、グループ呼及び個人呼のようなインタラクティブ呼に対するシグナリング及びメッセージルーティング情報をもってシグナリング及び所定のパケット呼に対するルーティングを制御する。また、呼エージェント３１は、ユーザーによって選択されたパケット呼のサービスクラス情報を基地局１１及び１２へ伝送し、その後、基地局１１及び１２は、前記パケット呼情報を利用して対応する無線チャンネルを割り当てる。より具体的に、呼エージェント３１及び基地局１１及び１２の詳細な動作について後述する。
【００１７】
移動端末機１及び２は、サービスプリミティブ組合せ（Ｓｅｒｖｉｃｅ Ｐｒｉｍｉｔｉｖｅ Ｓｅｔ）による無線チャンネルの利用が可能である。特に、移動端末機１及び２は、本発明によってグループ呼及び個人呼のようなインタラクティブ呼サービスを提供されるためには、“プッシュツートーク”機能を内蔵する。知られているように、“プッシュツートーク”機能は、指定されたボタンを押すもののみでも容易に相手と音声通話を行うことができるようにして呼設定時間を短縮させることができる長所がある。
【００１８】
本発明によるパケット呼サービスの動作手順を説明するに先立って、本発明で使用される概念に対して詳細に説明すると次のようである。
【００１９】
“サービスプリミティブ”は、多様なサービスクラスによる呼サービスの品質と種類及び使用可能な無線チャンネルの組合せであると定義され、サービスプリミティブ情報は、基地局、特に、基地局制御器内のデータベースに貯蔵される。サービスクラスは、ユーザーの必要に応じて追加されるか、または変更されることができる。基地局は、サービス提供者の命令に応じて複数のサービスクラスと複数のサービスプリミティブとを相互連関して貯蔵し、これを参照してパケット呼サービスを提供する。
【００２０】
図２は、本発明の実施形態による基地局に貯蔵されるサービスプリミティブ情報の構成を示す。図２を参照すると、順方向プリミティブ＃１は、高速伝送のみならず、多重伝送及び単一伝送が可能なサービスクラスのためのプリミティブである。しかし、成功的な接続及びサービス品質を保証せず、ソフトハンドオフ及び電力制御も提供しない。前記順方向プリミティブ＃１によるサービスクラスを提供するために利用することができる無線チャンネルは、Ｆ−ＣＣＣＨ及びＦ−ＢＣＣＨである。順方向プリミティブ＃２は、多重伝送、単一伝送、及び高速伝送を支援することができるサービスクラスのためのプリミティブである。しかし、成功的な接続及びサービス品質は保証するが、ソフトハンドオフ及び電力制御は提供しない。このような順方向プリミティブ＃２のサービスクラスのためには、無線チャンネルＦ−ＦＣＨを利用する。そして、順方向プリミティブ＃３は、単一伝送及び高速伝送のみを支援することができるサービスクラスのためのプリミティブであり、成功的な接続及び品質を保証し、ソフトハンドオフ及び電力制御も提供する。このような順方向プリミティブ＃３のサービスクラスのためには無線チャンネルＦ−ＦＣＨを利用する。
【００２１】
逆方向プリミティブ＃１は、単一伝送のみが可能であり、高速伝送が不能なサービスクラスのためのプリミティブであり、成功的な接続は保証するが、サービス品質は保証せず、そして、ソフトハンドオフ及び電力制御を提供する。このような逆方向プリミティブ＃１のサービスクラスのためには無線チャンネルＲ−ＦＣＨを利用する。逆方向プリミティブ＃２は、単一伝送及び高速伝送が可能なサービスクラスのためのプリミティブであり、成功的な接続及びサービス品質を保証するのみならず、ソフトハンドオフ及び電力制御も提供する。このような逆方向プリミティブ＃２のサービスクラスのためには、無線チャンネルＲ−ＣＣＣＨを利用する。
【００２２】
前記順方向プリミティブ及び逆方向プリミティブを支援するための無線チャンネルの構成について説明すると、下記のようである。
【００２３】
順方向プリミティブ＃３によって利用されるＦ−ＦＣＨチャンネルは、ＣＤＭＡ−２０００システムと同様に、ＩＳ−２０００標準によってソフト及びソフトハンドオフを支援し、電力制御を提供する。基地局は、ＩＳ−２０００標準によって定められる手順によってＦ−ＦＣＨチャンネルを割り当てる。
【００２４】
順方向プリミティブ＃２によって利用されるＦ−ＦＣＨチャンネルは、ハンドオフを支援するが、多重伝送のとき、複数の移動端末機が同時にハンドオフを遂行すると、無線チャンネルでシグナリングによって過負荷が発生し得るので、基地局は、同時にハンドオフを遂行することができる移動端末機の個数を制限する。また、複数の移動端末機が同一のＦ−ＦＣＨチャンネルを使用するので、セル全体へのメッセージブロードキャスティングのために電力制御が遂行されない。順方向プリミティブ＃２がグループ呼のために使用される場合、基地局は、Ｆ−ＦＣＨチャンネルを多数の移動端末機に割り当てる必要がある。従って、基地局は、前記Ｆ−ＦＣＨチャンネルに対応する同一のウォルシュコードをセル内で同一なグループに含まれる多数の移動端末機に割り当てる。
【００２５】
順方向プリミティブ＃１によって利用されるＦ−ＣＣＣＨチャンネルは、１つの移動端末機が位置する所定のセルに基づいて隣接した幾つのセルをグループ化し、これにより、グループ化されたセル内で制限的なハンドオフを支援し、電力制御を提供しない。また、グループ呼を支援するために、基地局は、グループ単位でＦ−ＣＣＨチャンネルを割り当てるが、このとき、１個のセルで支援可能なグループの最大個数は制限されることができる。
【００２６】
また、順方向プリミティブ＃１によって利用されるＦ−ＢＣＣＨチャンネルは、１つの移動端末機が位置するセルに基づいて隣接した幾つのセルをグループ化し、これにより、グループ化されたセル内で制限的なハンドオフを支援し、電力制御を提供しない。また、基地局は、グループ呼を支援するためにグループ単位でＦ−ＢＣＨチャンネルを割り当てるが、このとき、１個のセルで支援可能なグループの最大個数は制限されることができる。
【００２７】
逆方向プリミティブ＃１によって利用されるＲ−ＦＣＨチャンネルは、ＣＤＭＡ−２０００システムと同様に、ＩＳ−２０００標準によってソフト及びソフトハンドオフを支援するが、支援可能なチャンネルの個数及びハンドオフ方法は、順方向チャンネルとの関連に左右され得る。また、Ｒ−ＦＣＨチャンネルは電力制御を提供し、基地局は、ＩＳ−２０００標準によって定められる手順によってＲ−ＦＣＨチャンネルを割り当てる。
【００２８】
逆方向プリミティブ＃２によって利用されるＲ−ＣＣＣＨチャンネルは、支援可能なチャンネルの個数及びハンドオフ方法が順方向チャンネルとの関連に左右され得るので、制限的なハンドオフ動作を支援する。このとき、逆方向プリミティブ＃２が単一伝送のみを支援するので、ＣＰＣＣＨチャンネルを利用して電力制御を遂行する。例えば、８００Ｈｚの場合は２４チャンネル、４００Ｈｚの場合は４８チャンネル、２００Ｈｚの場合は９６チャンネルに対して、電力制御を遂行することができる。また、基地局は、ＩＳ−２０００標準によって定められる手順によってＲ−ＣＣＣＨチャンネルを割り当てる。
【００２９】
前述したように、基地局は、パケット呼サービスのサービスクラスによって適切なプリミティブとチャンネルとの組合せを選択することができる。下記表１は、本発明によって提供されることができるサービスクラスとそれに対応するサービスプリミティブとの組合せの一例を示すもので、ここで、サービスプリミティブは、図２の例を適用したことに留意されたい。
【表１】
2004519130.tif 000003
【００３０】
表１において、グループ呼タイプ１のサービスクラスは、予め定められるユーザーのグループ内で提供されるインタラクティブ呼サービスであり、多重伝送及び半二重通信が可能であり、サービス品質（Ｑｕａｌｉｔｙ ｏｆ Ｓｅｒｖｉｃｅ；ＱｏＳ）を保証しない。グループ呼タイプ１を支援するためには、順方向プリミティブ＃１は、Ｆ−ＣＣＣＨまたはＦ−ＢＣＣＨチャンネルを利用し、逆方向プリミティブ＃１は、Ｒ−ＣＣＣＨチャンネルを利用する。グループ呼タイプ２のサービスクラスは、予め定められるユーザーのグループ内で多重伝送を支援し、セミ半二重通信が可能であり、良好なサービス品質を保証する。ここで、セミ半二重通信とは、順方向では持続的にチャンネルを使用し、逆方向では必要な場合にのみチャンネルを使用する通信を意味する。グループ呼タイプ２を支援するためには、順方向プリミティブ＃２はＦ−ＦＣＨチャンネルを利用し、逆方向プリミティブ＃１または＃２は、Ｒ−ＣＣＣＨまたはＲ−ＦＣＨを利用する。
【００３１】
また、個人呼タイプ１のサービスクラスは、予め定められるユーザーのグループ内で１：１通信を提供するインタラクティブ呼サービスとして、全二重通信が可能であり、成功的な接続及び高品質の呼を保証する。個人呼タイプ１を支援するためには、順方向プリミティブ＃３はＦ−ＦＣＨチャンネルを利用し、逆方向プリミティブ＃２はＲ−ＦＣＨを利用する。個人呼タイプ２のサービスクラスは、予め定められるユーザーのグループ内で１：１通信を提供するインタラクティブ呼サービスであり、セミ全二重（Ｓｅｍｉ Ｆｕｌｌ Ｄｕｐｌｅｘ）通信及び高品質の呼、そして、特に短い呼伝達時間（ｑｕｉｃｋ ｃａｌｌ ｄｅｌｉｖｅｒｙ ｔｉｍｅ）が可能であるが、成功的な接続を保証しない。個人呼タイプ２を支援するためには、順方向プリミティブ＃１はＦ−ＣＣＣＨチャンネルを利用し、逆方向プリミティブ＃１はＲ−ＣＣＣＨチャンネルを利用する。
【００３２】
以下、前記のように構成されるサービスプリミティブを利用してパケット呼サービスを提供するための手順について詳細に説明する。
【００３３】
図３は、本発明によるパケット呼サービスを提供するために基地局１１（または１２）で遂行する動作を示す。ステップＳ１０で、基地局は、ユーザーの必要によって予め定められるサービスクラスに対応して順方向及び逆方向無線チャンネルの割当て情報を含む順方向及び逆方向サービスプリミティブを構成する。前記構成されたサービスプリミティブの情報は、予め決定されたサービスクラスと相互連関して基地局内のサービスプリミティブデータベースに貯蔵される。ステップＳ１０で構成される順方向及び逆方向プリミティブの一例は、図２に詳細に示されている。ステップＳ１０が完了すると、ステップＳ２０へ進行する。
【００３４】
ステップＳ２０で、移動端末機のためのパケット音声呼が発生すると、基地局は、サービスプリミティブデータベースを参照して前記パケット音声呼のサービスクラスに対応するサービスプリミティブ組合せを決定する。本発明が適用されるパケット呼は、移動通信ネットワーク内の移動端末機から発信されるか、または移動端末機へ着信される呼であると定義される。ＩＰ端末機がパケット呼通信によるＶｏＩＰ機能を支援するために、スピーカ及びマイクロフォンを備えるパーソナルコンピュータとして、ＩＰネットワークに有線で接続される場合、無線チャンネルを割り当てられる必要がないので、一般的に本発明が適用されない。
【００３５】
例えば、移動端末機のユーザーが他の移動端末機にグループ呼タイプ１を発信しようとする場合、ユーザーは、予め定められる手順によって移動端末機を操作してグループ呼タイプ１を示すサービスクラス情報を入力する。そうすると、移動端末機は、サービスクラス情報を含む発信要求メッセージを基地局及びアクセスゲートウェイを経由してＩＰネットワークへ伝送する。ＩＰネットワークの呼エージェントは、ＩＰルーティングを通じてパケット呼の伝達のためのチャンネルを連結した後、前記サービスクラス情報を発信移動端末機の基地局及び着信移動端末機の基地局へ伝送する。そうすると、それぞれの基地局は、ステップＳ１０で構成されたサービスプリミティブデータベースを検索して前記サービスクラス情報に対応するサービスプリミティブ組合せを決定する。
【００３６】
ステップＳ３０で、基地局は、前記決定されたサービスプリミティブ組合せに対応する無線チャンネルを移動端末機に割り当てる。例えば、ユーザーが選択したサービスクラスがグループ呼タイプ１であり、これによって、順方向プリミティブ＃１と逆方向プリミティブ＃１との組合せが決定されていたとすれば、割り当てられる無線チャンネルは、表１に示したＦ−ＣＣＣＨ及び及びＲ−ＣＣＣＨである。すなわち、基地局は、移動端末機にＦ−ＣＣＣＨチャンネルを割り当てた後、次の移動端末機にこれを知らせる。そうすると、移動端末機は、Ｒ−ＣＣＣＨチャンネルを割り当てる。
【００３７】
ステップＳ４０で、基地局は、前記割り当てられた無線チャンネルを利用して前記移動端末機にパケット音声呼サービスを提供する。例えば、割り当てられた無線チャンネルがＦ−ＣＣＣＨ及びＲ−ＣＣＣＨであれば、Ｆ−ＣＣＣＨ及びＲ−ＣＣＣＨの特性によって、サービス品質は保証せず、多重伝送及び半二重通信を特徴とするグループ呼タイプ１のパケット呼サービスが提供されることができる。
【００３８】
図４は、本発明の一実施形態によるグループ呼タイプ２または個人呼タイプ１の呼フローのシーケンスを示す概略図である。図４を参照すると、移動端末機及び基地局は、ＣＤＭＡ−２０００標準によって定められたメッセージを交換して通話のための無線チャンネル（Ｆ−ＦＣＨ、Ｒ−ＣＣＣＨ／Ｒ−ＦＣＨ）を予め割り当てて保持した後、所定の時間が経過して音声トラフィックが発生すると、音声トラフィックは、前記設定された無線チャンネルを利用して伝達される。従って、所定のチャンネルの割当て及び保持が保証される。
【００３９】
第１移動端末機（ＭＴ１）は、パケット呼を要求するために第１基地局（ＢＳ１）へ‘Ｃａｌｌ Ｏｒｉｇｉｎ’メッセージを伝送する。‘Ｃａｌｌ Ｏｒｉｇｉｎ’メッセージは、ユーザーによって入力されたパケット呼のサービスクラス情報、例えば、グループ呼であるかまたは個人呼であるかに関する情報、そしてそのタイプ情報を含む。第１基地局は、第１移動交換局（ＭＳＣ）へ‘ＣＭ Ｓｅｒｖｉｃｅ Ｒｅｑ’メッセージを伝送してパケット呼が要求されることを知らせる。前記ＣＭ（Ｃｏｎｎｅｃｔｉｏｎ Ｍａｎａｇｅｍｅｎｔ）サービス要求メッセージは、ＢＳＣとＭＳＣとのインターフェースの呼設定を要求するためのメッセージを意味し、前記ＢＳＣと前記ＭＳＣとのトラフィックチャンネルの割当てを要求する。ここで、第１移動交換局がアクセスゲートウェイ機能を含むように具現されたとすれば、第１移動交換局は、呼エージェント（ＣＡ）にサービスを要求し、呼エージェントからそれに対する応答‘Ａｓｓｉｇｎ Ｒｅｑ’を受信する。そうすると、前記第１移動交換局は、第１基地局に‘Ａｓｓｉｇｎ Ｒｅｑ’メッセージを伝送する。その後、第１基地局は、サービスクラス情報を利用して対応するサービスプリミティブ組合せを決定し、前記決定されたサービスプリミティブによって第１移動端末機に無線チャンネルを割り当てる。そうすると、第１移動端末機に‘ＣＡＭ（Ｃｈａｎｎｅｌ Ａｓｓｉｇｎｍｅｎｔ Ｍｅｓｓａｇｅ）’を伝送して無線チャンネルの割当てを知らせる。ＣＡＭを受信すると、第１移動端末機は、ＣＡＭの受信を示す‘ＭＳ Ａｃｋ’メッセージを第１基地局へ伝送すると、第１基地局は、第１移動交換局へ‘Ａｓｓｉｇｎ Ｃｏｍｐｌｅｔｅ’メッセージを伝送する。
【００４０】
一方、第１移動交換局は、呼エージェントを通じて着信側の第２移動交換局に‘Ｓｅｓｓｉｏｎ Ｂｏｏｔ’メッセージを伝送してセッションを割り当てる。着信側の第２移動交換局は、第２基地局（ＢＳ２）に‘Ｐａｇｅ Ｒｅｑｕｅｓｔ’メッセージを伝送するが、ここで、‘Ｐａｇｅ Ｒｅｑｕｅｓｔ’メッセージは、着信側の第２移動端末機（ＭＴ２）に割り当てる無線チャンネル割当て情報を含む。そうすると、第２基地局は、第２移動端末機に‘Ｐａｇｅ’メッセージを伝送し、それに対する応答として‘Ｐａｇｅ Ａｃｋ’メッセージを受信する。また、前記第２基地局は、第２端末機に無線チャンネルを割り当て、ＣＡＭメッセージを第２移動端末機へ伝送する。そうすると、第２移動端末機は、第２基地局へ‘ＣＡＭ’の受信を示す‘ＭＳ Ａｃｋ’を伝送する。‘ＭＳ Ａｃｋ’メッセージが第２端末機から受信されたら、第２基地局は、第２移動交換局へ‘Ａｓｓｉｇｎ Ｃｏｍｐｌｅｔｅ’メッセージを伝送する。
【００４１】
前述したように、無線チャンネルが割り当てられた後、第１及び第２移動端末機は、インタラクティブ呼処理動作を遂行して、呼処理のためのプロトコル、すなわち、音声呼の場合、‘ＲＴＰ（Ｒｅａｌ Ｔｉｍｅ Ｐｒｏｔｏｃｏｌ）’を初期化する。プロトコルセッションが初期化され、プッシュツートーク機能によって音声トラフィックが発生すると、音声トラフィックは、前記割り当てられた無線チャンネルを通じて伝送される。
【００４２】
図５は、本発明の他の実施形態によるグループ呼タイプ１または個人呼タイプ２の呼フローに対するシーケンスを示す概略図である。図５を参照すると、移動端末機及び基地局は、音声トラフィックに対して特定のチャンネルを別途に割り当てず、共通チャンネル（Ｆ−ＣＣＣＨ／Ｆ−ＢＣＣＨ、Ｒ−ＣＣＣＨ）を使用して通信する。すなわち、インタラクティブ音声呼処理（Ｉｎｔｅｒａｃｔｉｖｅ Ｖｏｉｃｅ Ｃａｌｌ Ｐｒｏｃｅｓｓｉｎｇ）手順によってプロトコルセッションの初期化を遂行するとき、発信側の基地局ＢＳ１及び着信側の基地局ＢＳ２は、呼エージェントからサービスクラス情報を受信して対応するサービスプリミティブ組合せを決定する。その後、プッシュツートークによって音声トラフィックが発生すると、基地局は、サービスプリミティブ組合せに基づいた無線チャンネルを割り当てて音声トラフィックを伝達する。このように、グループ呼タイプ１または個人呼タイプ２は、移動端末機と基地局との間に専用トラフィックチャンネル（Ｄｅｄｉｃａｔｅｄ Ｔｒａｆｆｉｃ Ｃｈａｎｎｅｌ）を割り当てず、トラフィックデータを伝送するので、チャンネルの割当て及び保持が保証されない。しかし、広い地域にメッセージを効率的に伝達することができる。
【００４３】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【００４４】
【発明の効果】
以上から述べてきたように、本発明によるパケット呼サービスを制御する方法は、ＣＤＭＡ−２０００システムでサービスプリミティブの定義及び及び組合せを利用することにより、インタラクティブ呼などの多様な呼サービスをユーザーに提供することができるのみならず、ユーザーの必要に応じて新たな形態の呼サービスを効率的に提供することもできる。また、システムの点からみて、共通チャンネル及び半二重通信またはセミ半二重通信の無線チャンネルの使用によって、無線資源の経済的応用をより効率的に達成することができる。
【図面の簡単な説明】
【図１】本発明が適用されることができるＣＤＭＡ−２０００システムの構成を示す概略図である。
【図２】本発明の実施形態による基地局に貯蔵されたサービスプリミティブ情報の構成を示すテーブルである。
【図３】本発明の実施形態によるパケット呼サービスを提供するための手順を示すフローチャートである。
【図４】本発明の実施形態によるグループ呼タイプ２または個人呼タイプ１の呼過程フローを示す図である。
【図５】本発明の他の実施形態によるグループ呼タイプ１または個人呼タイプ２の呼過程フローを示す図である。
【符号の説明】
１，２  移動端末機
１０  移動交換局
１１，１２  基地局
２０  アクセスゲートウェイ（ＡＧ）
３０  ＩＰネットワーク
３１  呼エージェント（ＣＡ）
３３  ドメインネームサーバ（ＤＮＳ）
３５  ＡＡＡ
３７  ホームエージェント（ＨＡ）
３９  メディアゲートウェイ（ＭＧ）
４０  インターネット
５０  ＰＳＴＮ
【国際公開パンフレット】
2004519130.tif 000004
2004519130.tif 000005
2004519130.tif 000006
2004519130.tif 000007
2004519130.tif 000008
2004519130.tif 000009
2004519130.tif 000010
2004519130.tif 000011
2004519130.tif 000012
2004519130.tif 000013
2004519130.tif 000014
2004519130.tif 000015
2004519130.tif 000016
2004519130.tif 000017
2004519130.tif 000018
2004519130.tif 000019
2004519130.tif 000020
2004519130.tif 000021
2004519130.tif 000022
2004519130.tif 000023
2004519130.tif 000024
2004519130.tif 000025
【国際調査報告】
2004519130.tif 000026
2004519130.tif 000027